(57)【要約】【課題】  マイクロ波を被生体に照射する際に、被生体の一部周囲に簡単にマイクロ波が照射できるようにアプリケータを閉管路の円筒形状に形成して、その中央位置に被生体を配置するようにして痩身効果を引き出す。【解決手段】マイクロ波痩身装置は、マイクロ波を発生させるマイクロ波発振機と、前記マイクロ波発振機で発生させたマイクロ波を伝送させるための中空の金属管で生成された導波管と、前記導波管の途中に反射電力を吸収させるアイソレータと、前記導波管の途中に反射電力を最少になるように調整する整合器と、前記導波管からのマイクロ波を伝達させるための中心位置に被生体を配置できる大きさに形成した閉管路であって金属製部材で形成したアプリケータと、を備え、前記アプリケータは、中心位置方向に向けて、複数の開口部を設けたことである。【選択図】  図１
2005319229.tif 000002
【特許請求の範囲】
【請求項１】
マイクロ波を発生させるマイクロ波発振機と、
前記マイクロ波発振機で発生させたマイクロ波を伝送させるための中空の金属管で生成された導波管と、
前記導波管の途中に反射電力を吸収させるアイソレータと、
前記導波管の途中に反射電力を最少になるように調整する整合器と、
前記導波管からのマイクロ波を伝達させるための中心位置に被生体を配置できる大きさに形成した閉管路であって金属製部材で形成したアプリケータと、を備え、
前記アプリケータは、中心位置方向に向けて、複数の開口部を設けたことを特徴とするマイクロ波痩身装置。
【請求項２】
前記複数の開口部は、所定の定間隔で配置され、それぞれの開口部の開口具合が調節できる調節手段を備えたことを特徴とする請求項１に記載のマイクロ波痩身装置。
【請求項３】
前記閉管路は、リング状に形成したことを特徴とする請求項１に記載のマイクロ波痩身装置。
【請求項４】
前記アプリケータを構成する金属製部材は、アルミ部材で形成したことを特徴とする請求項１に記載のマイクロ波痩身装置。
【発明の詳細な説明】
【技術分野】
【０００１】  本発明は、マイクロ波痩身装置に関し、詳しくはマイクロ波を利用して被加熱物である被生体にマイクロ波を照射して痩身等の効果を引き出すようにしたマイクロ波痩身装置に関する。
【背景技術】
【０００２】  従来技術における痩身効果を得るための発明として、器具を使用して痩身効果を得る発明と、飲食物を体内に吸収させて痩身効果を得る発明の２つに分類される。又、器具を使用して痩身効果を得る発明については、体重を減少させる器具と、体の一部を痩身させる器具の２つに分類することができる。
体の一部を痩身させる器具については、痩せたいと思う部分にその器具を使用し、部分的に痩身させるものである。【０００３】
【特許文献１】          特開２００４−８９２６１号公報（第３頁〜４頁  図１）
【発明の開示】
【発明が解決しようとする課題】
【０００４】  しかしながら、従来技術で説明した痩身させるための器具は、誰でも簡単に使用できる構造になっているがその器具の性質や特徴等を正確に把握しにくいという問題がある。【０００５】  従って、痩身する部位に違和感を与えずにマイクロ波を照射させることができる装置に解決しなければならない課題を有する。
【課題を解決するための手段】
【０００６】  上記課題を解決するために、本発明に係るマイクロ波痩身装置は、次に示す構成にすることである。【０００７】（１）マイクロ波痩身装置は、マイクロ波を発生させるマイクロ波発振機と、前記マイクロ波発振機で発生させたマイクロ波を伝送させるための中空の金属管で生成された導波管と、前記導波管の途中に反射電力を吸収させるアイソレータと、前記導波管の途中に反射電力を最少になるように調整する整合器と、前記導波管からのマイクロ波を伝達させるための中心位置に被生体を配置できる大きさに形成した閉管路であって金属製部材で形成したアプリケータと、を備え、前記アプリケータは、中心位置方向に向けて、複数の開口部を設けたことである。
（２）前記複数の開口部は、所定の定間隔で配置され、それぞれの開口部の開口具合が調節できる調節手段を備えたことを特徴とする（１）に記載のマイクロ波痩身装置。
（３）前記閉管路は、リング状に形成したことを特徴とする（１）に記載のマイクロ波痩身装置。
（４）前記アプリケータを構成する金属製部材は、アルミ部材で形成したことを特徴とする（１）に記載のマイクロ波痩身装置。
【発明の効果】
【０００８】  以上、説明したように、本発明に係るマイクロ波痩身装置は、アプリケータをリング状の閉管路に形成し、その中心位置に被生体を配置したときに、その被生体に開口部から照射されるマイクロ波があたるように形成したことで、被生体は単にその位置に静止或いは少々の動きも含めてその位置にいる状態で所望の位置、例えば身体の下腹部にマイクロ波が照射できるため、マイクロ波による温熱効果により、脂肪分が分解され、痩身できるというものである。
【発明を実施するための最良の形態】
【０００９】  次に、本発明に係るマイクロ波痩身装置の実施形態について、図面を参照して説明する。
【実施例１】
【００１０】  本発明に係るマイクロ波痩身装置は、図１に示すように、マイクロ波を発生させるマイクロ波発振機１１と、このマイクロ波発振機１１で発生させたマイクロ波を伝送させるための中空の金属管で生成された導波管１２と、導波管１２の途中に反射電力を吸収させるアイソレータ１３と、導波管１２の途中に反射電力を最少になるように調整する整合器１４と、導波管１２からのマイクロ波を伝達させるための中心位置に被生体１５を配置できる大きさに形成した閉管路であって金属製部材で形成したアプリケータ１６とから大略構成されている。【００１１】  導波管１２は、マイクロ波発振機１１で得たマイクロ波エネルギーをアプリケータ１６に伝送するもので、実施例においては方形導波管が主に用いられている。この導波管１２の材料としては、伝送損失の少ない銅に、金または銀メッキしたものよく知られているが、比較的損失が少なく軽量、安価で耐食性に優れたアルミニュムが使用されている。【００１２】  アイソレータ１３は、導波管１２内にフェライトを入れ、外部から磁化するとフェライトが電磁波に対して作用することを利用して、順方向にはほとんど減衰を与えず電波を通過させ、逆方向の電波は回路内で消費させ、大きく減衰させる２開口の非可逆素子である。【００１３】  アプリケータ１６は、金属製部材のアルミ部材で形成され、実施例においては円筒形状に形成され、その中心位置に被生体１５が配置できる大きさのリング状に形成され、且つ中心位置方向に向けて、複数の開口部１７を設けた構造になっている。また、このアプリケータ１６には、導波管１２と接続した位置にマイクロ波がリング状の管路方向に反射するように反射板１８を備えた構成になっている。これにより、導波管１２を通過したマイクロ波は、アプリケータ１６に入ると、そこの反射板１８で反射され、図において左方向の管路内部を反射しながら通過する。
複数の開口部１７は、それぞれが所定の定間隔で配置され、それぞれの開口部１７の開口具合が調節できる調節手段１９を備えた構成になっている。この調節手段１９を設けることで、それぞれの開口部１７から照射するマイクロ波の量を調節することができる。又、実施例において、開口部１７は特に被生体１５の前方向のみを照射できるように形成され、実施例においてマイクロ波発振機１１と対向する位置に一つの開口部１７を設け、その左右に５個の開口部１７を備えた構成になっている。【００１４】  又、アプリケータ１６は、２つに分割できるような構成にすることで、一方の可動体を開けて中に被生体１５が入り、閉めるようにする。このようにすることで、簡単にアプリケータ１６の中央位置に被生体１５を配置することができる。
【産業上の利用可能性】
【００１５】  マイクロ波を伝導させるアプリケータをリング状の閉管路に形成すると共に、その閉管路の中心位置に被生体を配置するようにすることで、閉管路の開口部から照射させれるマイクロ波が被生体の一部周囲に満遍なく照射して痩身効果を導くことができるマイクロ波痩身装置を提供する。
【図面の簡単な説明】
【００１６】
【図１】  本願発明に係るマイクロ波痩身装置を略示的に示した平面図である。
【図２】  同、略示的に示した斜視図である。
【符号の説明】
【００１７】１１      マイクロ波発振機
１２      導波管
１３      アイソレータ
１４      整合器
１５      被生体
１６      アプリケータ
１７      開口部
１８      反射板
１９      調整手段。
【図１】
2005319229.tif 000003
【図２】
2005319229.tif 000004